(57)【要約】【課題】光ディスクを廃棄する際に簡便な手段で光ディスクの機密データを読み取り不能にできる光ディスクを提供する。【解決手段】光学的に透明なバーストカッティングエリアを持つ光ディスクおいて、前記光ディスクの記録面と反対側のレーベル面の前記バーストカッティングエリアにバーストカッティング情報が付与されたＢＣＡシールを貼り付けた光ディスクであり、前記ＢＣＡシールは、その中心部に前記光ディスクのセンター孔より大きい中心孔を持つ略ドーナッツ状の本体部とその本体部に接続されたつまみ部とからなり、前記光ディスクと接続するための前記中心孔の周囲を取り巻く第１の接着領域と、前記光ディスクと接続するための前記ＢＣＡ最外部に設けられた第２の接着領域と、前記第１と第２の接着領域の間に前記バーストカッティング情報を持つバーストカッティング領域が設けられた請求項１に記載の光ディスク。【選択図】図１
2011192358.tif 000002
【特許請求の範囲】
【請求項１】
光学的に透明なバーストカッティングエリアを持つ光ディスクおいて、
前記光ディスクの記録面と反対側のレーベル面の前記バーストカッティングエリアにバーストカッティング情報が付与されたＢＣＡシールを貼り付けた光ディスク。
【請求項２】
前記ＢＣＡシールは、その中心部に前記光ディスクのセンター孔より大きい中心孔を持つ略ドーナッツ状の本体部とその本体部に接続されたつまみ部とからなり、
前記本体部には、前記光ディスクと接続するための前記中心孔の周囲を取り巻く第１の接着領域と、
前記光ディスクと接続するための前記ＢＣＡ最外部に設けられた第２の接着領域と、
前記第１と第２の接着領域の間に前記バーストカッティング情報を持つバーストカッティング領域が設けられた請求項１に記載の光ディスク。
【請求項３】
前記ＢＣＡシールは、樹脂からなるベースシートに光を反射する金属層を形成し、その
金属層の表面にカバーフィルムを貼り付け、そのカバーフィルム上に接着剤を塗布した請求項２に記載の光ディスク。
【請求項４】
前記バーストカッティング情報が、前記カバーフィルム層に形成された請求項３に記載の光ディスク。
【請求項５】
前記バーストカッティング領域と前記第１と第２の接着領域の間に、各々ミシン目が設けられた請求項２に記載の光ディスク。
【請求項６】
前記ミシン目が、円弧状を描いている請求項５に記載の光ディスク。
【請求項７】
前記つまみ部が、少なくとも一つ以上前記ＢＣＡシールの外側に設けられた請求項２に記載の光ディスク。
【請求項８】
前記つまみ部が複数のとき、各々のつまみ部は前記中心孔の中心に点対称の位置に配置されている請求項７に記載の光ディスク。
【請求項９】
前記つまみ部が、少なくとも一つ以上前記中心孔の内側に設けられた請求項２に記載の光ディスク。
【請求項１０】
前記つまみ部が複数のとき、各々のつまみ部は前記中心孔の中心に点対称の位置に配置されている請求項９に記載の光ディスク。
【請求項１１】
前記つまみ部が、少なくとも一つ以上前記中心孔と前記バーストカッティング領域との間に設けられ、そのつまみ部に隣接した孔を持つ請求項１０に記載の光ディスク。
【請求項１２】
前記つまみ部が複数のとき、各々のつまみ部は前記中心孔の中心に点対称の位置に配置されている請求項１１に記載の光ディスク。
【請求項１３】
光ディスクを収納した状態でこの光ディスクに情報を記録再生することのできるカートリッジに、請求項１から１２に記載の光ディスクを格納した光ディスクカートリッジ。
【発明の詳細な説明】
【技術分野】
【０００１】
本発明は、情報が光学的に記録または再生される光ディスクに関し、より詳細には、廃棄処分する光ディスクの記録情報を読み取り不能とするための技術に関する。
【背景技術】
【０００２】
安価で長期保存性の良い光ディスクは、その性質上アーカイブ用途に利用されている。特に医療や金融データなどの重要な文書の保存には、指紋や傷などの影響を受けないように、カートリッジで保護されたディスクが使用されている。一方、デジタル化されたデータは容易に複製できるため、堅固なセキュリティシステムが求められている。
【０００３】
光ディスクに記録された主情報の機密を守るために様々な技術が考案されているが、その中にバーストカッティングエリア（ＢＣＡ）の情報を利用した技術が、ＤＶＤやＢＤなどの光ディスクに広く用いられている。これは、ディスク毎に異なる情報が記録されたＢＣＡの情報をスクランブルキーとしてディスクに記録された主情報の暗号を解くものである（例えば、特許文献１参照。）。一般には、ディスク内周の記録層の定められた位置にディスクの固有情報をレーザーで焼き付けてＢＣＡとしている。より高品位のＢＣＡ信号を出力するために、ＢＣＡ情報が記録されたカバーシートを記録媒体に粘着層で接着する技術が知られている（例えば、特許文献２参照。）。
【０００４】
このような、光ディスク等の記録媒体を廃棄する際には、記録された情報を読み取り不可能にする必要がある。これは、記録された情報には機密情報や個人情報が含まれていることが多いので、第三者が容易に読み取り、不正使用するのを避けるためである。
【０００５】
そこで、廃棄する際には、ディスク自体を物理的に破壊する方法が知られている（例えば、特許文献３及び４参照。）。あるいは、ディスク上の記録層の一部を剥離させる方法（例えば、特許文献５参照。）、または光ディスク自体を分解する方法がある（例えば、特許文献６参照。）。
【先行技術文献】
【特許文献】
【０００６】
【特許文献１】特開２００３−１９６８４３号公報
【特許文献２】特開２００６−２５２６４３号公報
【特許文献３】特開２００３−２１７１２９号公報
【特許文献４】特開２００４−０３９０５９号公報
【特許文献５】特開平１１−１３４７２２号公報
【特許文献６】特開２０００−０３０３０２号公報
【発明の概要】
【発明が解決しようとする課題】
【０００７】
しかしながら、前記従来の構成では、光ディスクを丸ごと廃棄するには、特許文献３のような装置で物理的に破壊する必要があり、人の手で簡易に廃棄することが出来なかった。これは、光ディスクがカートリッジに格納された媒体では、さらに廃棄が複雑になる。すなわち、従来の方法では、光ディスクを廃棄する際に、簡便な手段で光ディスクの機密データを読み取り不能にすることが出来ないという課題を有していた。
【０００８】
本発明は、前記従来の課題を解決するもので、光ディスクを廃棄する際に簡便な手段で光ディスクの機密データを読み取り不能にできる光ディスクを提供することを目的とする。
【課題を解決するための手段】
【０００９】
前記従来の課題を解決するために、本発明の光ディスク及び光ディスクカートリッジは、光学的に透明なバーストカッティングエリアを持つ光ディスクおいて、前記光ディスクの記録面と反対側のレーベル面の前記バーストカッティングエリアにバーストカッティング情報が付与されたＢＣＡシールを貼り付けたことを特徴としたものである。
【発明の効果】
【００１０】
本発明の光ディスク及び光ディスクカートリッジによれば、光ディスクを廃棄する際に、簡便な手段で光ディスクのデータを読み取り不能にすることができる。
【図面の簡単な説明】
【００１１】
【図１】本発明の実施の形態１におけるＢＣＡシールの全体図
【図２】本発明の実施の形態１におけるＢＣＡシールの断面図
【図３】本発明の実施の形態１における光ディスクにＢＣＡシールを貼り付けた断面図
【図４】本発明の実施の形態１における光ディスクをカートリッジに入れ、シャッターを開け光ディスクからシールを剥がす図
【図５】本発明の実施の形態２におけるＢＣＡシールの全体図
【図６】本発明の実施の形態３におけるＢＣＡシールの全体図
【図７】本発明の実施の形態４におけるＢＣＡシールの全体図
【図８】本発明の実施の形態５におけるＢＣＡシールの全体図
【発明を実施するための形態】
【００１２】
以下に、本発明の光ディスクの実施の形態を図面とともに詳細に説明する。
【００１３】
（実施の形態１）
図１に、本発明の第１の実施の形態におけるＢＣＡシールの全体図を示す。ＢＣＡシール１の中心Ｏには、直径が光ディスクのセンター孔（後述の図３では９で示す。）の直径より大きい中心孔２０が設けられている。ＢＣＡシール１は、光反射膜を持った樹脂製のシートが良い。ＢＣＡシール１の構造や材料の詳細は、図２で後述するが、本実施例では、約５０μｍ厚のものを用いた。
【００１４】
図１に示すハッチング領域は接着剤が塗布された接着領域であり、中心孔２０の周囲に設けられた内側接着領域４１とＢＣＡシール１の外側接着領域４２との２箇所、設けられている。この接着層に使用する接着剤は、ＢＣＡシール１と光ディスクの基材とを接着できるものであれば良く、基材がポリカーボネイトなのでアクリル系接着剤が良い。この接着剤を接着領域４１と４２に塗布する方法は、既存の塗布方法でよく、本実施例ではスクリーン印刷を用いた。
【００１５】
２つの接着領域４１と４２との間には、バーコードの形で表したＢＣＡ情報８を環状に印刷する。この印刷方法は既存のものでよく、本実施例ではインクジェット工法を用いてＢＣＡ情報を印刷した。
【００１６】
本発明のＢＣＡシール１にはつまみ部２が、図１のように設けられている。また、つまみ部２に連携するように２つのミシン目３１、３２が設けられている。このミシン目３１と３２は、ＢＣＡシール１が光ディスクに接着されたとき、つまみ部２を引き上げることで、内側接着領域４１と外側接着領域４２とを残したままＢＣＡ情報８が印刷された部分を除くことが出来るように設けられている。環状の内側ミシン目３１は内側接着領域４１とＢＣＡ情報８との間に、外側ミシン目３２はＢＣＡ情報８と外側接着層４２との間に設けられている。外側ミシン目３２は、つまみ部２と連携するように、つまみ部２の部分には設けられていない。ミシン目３１と３２のミシン孔は、つまみ部２を引き上げると無理なくＢＣＡ情報８部分が二つの接着領域と分離できる程度の直径と個数があれば良い。
【００１７】
図２（ａ）は図１のＡ−Ａ’の断面図を示す。本発明のＢＣＡシール１は、樹脂製のベースシート５、金属からなる反射層６、カバーフィルム７からできている。ベースシート５上に反射層６をドライコーティングで形成し、その上にカバーフィルム７を接着剤で貼り付ける。ＢＣＡ情報８はカバーフィルム７の上に印刷される。
【００１８】
ここでＢＣＡ情報８は、レーザー光に対して非透過性の黒インクを用いてバーコードとして印刷される。黒インクが付加された部分はレーザー光を透過しない為、反射層６まで達せず十分な反射光は得られない。一方黒インクが付加されていない部分はレーザー光が反射層まで達するため十分な反射光が得られる。光ディスクドライブはがあらかじめ定めたスレッシュレベルに対し大きいか小さいかによってデジタルデータとして情報を得ることができる。
【００１９】
接着層２１および２２はカバーフィルム７に付けられている。本実施例では、ベースシート５とカバーフィルム７には、厚み２５μｍのポリエチレンタフレート（ＰＥＴ）を使用し、アルミニウムを５００Åの厚みで蒸着させ反射層６を作製した。図１に示した内側接着領域４１と外側接着領域４２に対応するのが、接着層２１と２２である。接着層２１及び２２には、アクリル系接着剤を厚み３０μｍになるように、スクリーン印刷にて塗布した。
【００２０】
次に、図２（ｂ）は図１のＢ−Ｂ’の断面図を示す。つまみ部２のカバーシート７には外側接着層２２を設けていないことを示している。本実施例では、ＢＣＡシール１の寸法は内半径９．５ｍｍ、外半径２９ｍｍ、とし、接着層は半径９．５ｍｍから１８ｍｍと２６ｍｍから２９ｍｍに、ＢＣＡ情報８は、２０ｍｍから２４ｍｍに付加した。つまみ部２の長さは１２ｍｍｘ２０ｍｍとした。
【００２１】
以上のように作製されたＢＣＡシール１は、光ディスクのレーベル面に貼り付けられる。この貼り付けは、光ディスクに予め確保されたＢＣＡ領域１１にＢＣＡシール１のＢＣＡ情報８が覆うように行う。このＢＣＡ領域１１は記録面からのレーザー光を透過出来るように透明になっている。
【００２２】
このようにしてＢＣＡシール１を光ディスク１３に貼り付けた断面図を図３に示す。先に説明した通り、光ディスクに予め確保されたＢＣＡ領域１１にＢＣＡシール１のＢＣＡ情報８が覆うためには、光ディスク１３のセンター孔９の中心と図１のＢＣＡシール１の中心孔２０の中心とを一致させれば良い。ここでは、光ディスク１３のセンター孔９は、半径７．５ｍｍである。ＢＣＡ領域１１は、媒体の種類により設けられる場所が異なるが、例えば、Ｂｌｕ−ｒａｙディスクでは、半径２１．０ｍｍから２２．２ｍｍの範囲に設けるように定められている。
【００２３】
光ディスク１３に貼り付けたＢＣＡシール１のＢＣＡ情報８を光ディスクドライブにて読み取るには、ピックアップ１０をＢＣＡ領域１１の下に移動させレーザーを発光し反射層６にフォーカスを合わせて再生する。ＢＣＡシール１の反射層６がレーベル面にあるため、ＮＡが０．４５の対物レンズで７８０ｎｍレーザーを用いれば、ＢＣＡシール１のＢＣＡ情報８を読み取ることが出来る。
【００２４】
ＢＣＡ情報８は、メディアの種類、メディアメーカコード、シリアル番号などの情報が規定されている。これらの情報を組み合わせることで個々のディスク固有のデータを作り出し、ディスクに記録されている主情報の記録再生時の暗号復号の鍵として使用されている。そのため、ＢＣＡ情報８を剥ぎ取られたディスクは、その主情報を再生することが出来なくなる。
【００２５】
図４は、本発明のＢＣＡシール１を貼った光ディスク１３をカートリッジ１２に入れた状態を示している。この光ディスク１３を廃棄する場合には、図４のようにシャッター１４を開き、ＢＣＡシール１のつまみ部２を紙面と垂直の方向に引っ張り上げる。つまみ部２には粘着層がないので簡単につまむことができる。ＢＣＡシール１のＢＣＡ情報８が印刷された箇所には接着層が設けられてなく、またミシン目３１と３２とが設けられているので、つまみ部２を引き上げるだけで、ＢＣＡシール１からＢＣＡ情報８が印刷された箇所のみを簡単に剥がすことができる。その結果、ＢＣＡ情報８を剥ぎ取られた光ディスク１３は、ＢＣＡ情報を読み取ることができなくなるため、光ディスク１３上に記録された主情報の暗号を復号することができなくなる。
【００２６】
このように、本発明のＢＣＡシールを光ディスクに貼り付けることで、光ディスクを廃棄する際に、ＢＣＡシールを剥ぐだけで、簡便に光ディスクの情報の読み取りを防止できる。これは、カートリッジに収納された光ディスクを廃棄する際に、特に有用となる。従来であれば、ディスクの情報を全消去するか、カートリッジごと物理的に粉砕するか、またはカートリッジから光ディスクを取り出して物理的に粉砕していたが、本発明であれば、ＢＣＡシールを剥ぐだけで良いからである。
（実施の形態２）
図５は本発明の第２の実施の形態におけるＢＣＡシールの全体図である。実施の形態１と異なる点は、つまみ部２が内周側に位置することである。
【００２７】
光ディスクを収納したカートリッジでは、光ディスクが静止したときのつまみ部２の位置は不定である。ところが、本実施の形態２では、つまみ部２を内周側に配置したので、カートリッジのシャッターを開ければ、即座につまみ部２をつかむことができる。
【００２８】
本実施例では、ＢＣＡシール１の寸法は内半径１５ｍｍ、外半径２９ｍｍとし、接着層は半径１５ｍｍから１８ｍｍと２６ｍｍから２９ｍｍに、つまみ部２の長さは６．６ｍｍとした。
（実施の形態３）
図６は、本発明の第３の実施の形態におけるＢＣＡシールの全体図である。実施の形態１と異なる点は、つまみ部２を複数にしたことである。
【００２９】
光ディスクを収納したカートリッジでは、光ディスクが静止したときのつまみ部２の位置は不定である。ところが、本実施の形態３では、つまみ部２を複数個付加したので、カートリッジのシャッターを開ければ、即座につまみ部２をつかむことができる。これは、特に、外側につまみ部２を設けたときに有用である。
【００３０】
本実施例では、実施形態１につまみ部２を２個付加したものを（ａ）に、６個付加したものを（ｂ）に示す。また、実施形態２につまみ部２を２個付加したものを（ｃ）に、６個付加したものを（ｄ）に示す。つまみ部２を複数設ける場合には、各つまみの位置を中心孔２０の中心と点対称の位置に配置しなければならない。これは、ディスク回転時に重心の偏りに起因して振動を発生させないためである。
（実施の形態４）
図７は、本発明の第４の実施の形態におけるＢＣＡシールの全体図である。実施の形態３と異なる点は、つまみ部２に隣接して孔１５を設けたことである。
【００３１】
この構成にすると、孔１５により指がつまみ部２に入り易いため、つまみ部２がよりつかみ易くなる。また、孔１５をＢＣＡシール１の内部に設けることになり、ＢＣＡシール１の内周側全体を接着層で囲むことが出来る。そのため、ディスクへの接着力が増し、ＢＣＡシール１からＢＣＡ情報８を剥がす際に、ＢＣＡ情報８のみを剥がし易くなる。
【００３２】
本実施例では、ＢＣＡシールの寸法は内半径９．５ｍｍ、外半径２９ｍｍ、とし、接着層は半径９．５ｍｍから１８ｍｍと２６ｍｍから２９ｍｍに、孔は３．３ｍｍｘ１２．５ｍｍ、つまみ２は３．３ｍｍｘ１２．５ｍｍとした。
（実施の形態５）
図８は、本発明の第５の実施の形態におけるＢＣＡシールの全体図である。実施の形態４と異なる点は、ミシン目１６を円弧状に設けたことである。
【００３３】
ミシン目１６を円弧状にすることで、つまみ部２を引き上げたときにミシン目３に誘導されＢＣＡシールを一方向に回転しながら剥がせるようになる。本実施例では、実施形態４にミシン目１６を円弧状にしたものを図８（ａ）に、つまみ部を６個付加したものを図８（ｂ）に示す。また、外周部につまみ部２と孔１５を２個ずつ付加したものを図８（ｃ）に、６個ずつ付加したものを図８（ｄ）に示す。
【産業上の利用可能性】
【００３４】
本発明にかかる光ディスク媒体は、簡易な手段で光ディスクの機密データを読み取り不能にすることができる機能を有し、医療や金融関連の保存義務のある機密データの保管媒体として有用である。
【符号の説明】
【００３５】
１  ＢＣＡシール
２  つまみ部
３  ミシン目
５  ベースシート
６  反射層
７  カバーフィルム
８  ＢＣＡ情報
９  光ディスクのセンター孔
１０  ピックアップ
１１  光ディスクのＢＣＡ領域
１２  カートリッジ
１３  光ディスク
１４  シャッター
１５  孔
１６  円弧状のミシン目
２０  中心孔
２１  内側接着層
２２  外側接着層
３１  内側ミシン目
３２  外側ミシン目
４１  内側接着領域
４２  外側接着領域
【図１】
2011192358.tif 000003
【図２】
2011192358.tif 000004
【図３】
2011192358.tif 000005
【図４】
2011192358.tif 000006
【図５】
2011192358.tif 000007
【図６】
2011192358.tif 000008
【図７】
2011192358.tif 000009
【図８】
2011192358.tif 000010